(57)【要約】【課題】遊技者によるいわゆるＶはずしの行為を効果的に抑制することが可能な遊技機を提供する。【解決手段】特定図柄表示手段による変動後の停止図柄が第１特定態様となった場合に第１利益状態を、第２特定態様となった場合に第２利益状態を夫々発生し、第２利益状態では特定入球手段が所定時間開状態となり、その特定入球手段に入球した遊技球が特定領域を通過した場合に第３利益状態を発生し、第１利益状態の及び第３利益状態の終了後に特別遊技状態を発生するように構成された遊技機で、特別遊技状態中に特定図柄表示手段による変動後の停止図柄が第１特定態様（大当たり態様）となった場合に遊技者が得られる利益の期待値を、特別遊技状態以外の遊技状態中に第１特定態様（大当たり態様）となった場合に遊技者が得られる利益の期待値よりも小さくする。【選択図】図４
2017205424.tif 000002
【特許請求の範囲】
【請求項１】
遊技球が入球可能な開状態と該開状態よりも入球困難又は入球不可能な閉状態とに変化可能に構成され且つ入球した遊技球を特定領域とそれ以外の領域とに振り分ける特定入球手段と、
特定図柄表示手段による変動後の停止図柄が第１特定態様となった場合に第１利益状態を発生させる第１利益状態発生手段と、
前記特定図柄表示手段による変動後の停止図柄が第２特定態様となった場合に、前記特定入球手段が所定時間前記開状態となる第２利益状態を発生させる第２利益状態発生手段と、
前記特定入球手段に入球した遊技球が前記特定領域に案内された場合に第３利益状態を発生させる第３利益状態発生手段と、
前記第１利益状態の終了後及び前記第３利益状態の終了後、所定終了条件が成立するまで特別遊技状態を発生させる特別遊技状態発生手段とを備え、
前記特別遊技状態中は、前記第１利益状態が発生する確率よりも前記第２利益状態が発生する確率が高くなるように構成された
遊技機において、
前記特別遊技状態中に前記特定図柄表示手段による変動後の停止図柄が前記第１特定態様となった場合に遊技者が得られる利益の期待値を、前記特別遊技状態以外の遊技状態中に前記特定図柄表示手段による変動後の停止図柄が前記第１特定態様となった場合に遊技者が得られる利益の期待値よりも小さくした
ことを特徴とする遊技機。
【請求項２】
前記所定終了条件は、所定継続期間の経過を内容とする期間終了条件を含み、
前記特別遊技状態中に発生した前記第１利益状態の終了後に発生する前記特別遊技状態に関する前記所定継続期間を、前記特別遊技状態以外の遊技状態中に発生した前記第１利益状態の終了後に発生する前記特別遊技状態に関する前記所定継続期間よりも短くした
ことを特徴とする請求項１に記載の遊技機。
【請求項３】
前記特定図柄表示手段を含む図柄表示手段による図柄変動回数が所定上限回数に達するまでの期間を前記所定継続期間とした
ことを特徴とする請求項２に記載の遊技機。
【請求項４】
前記特別遊技状態中に発生した前記第１利益状態により遊技者が得られる利益の期待値を、それ以外の遊技状態中に発生した前記第１利益状態により遊技者が得られる利益の期待値よりも小さくした
ことを特徴とする請求項１〜３の何れかに記載の遊技機。
【請求項５】
前記特別遊技状態中に前記特定図柄表示手段による変動後の停止図柄が前記第１特定態様となった場合に遊技者が得られる利益の期待値を、前記特別遊技状態中に前記特定入球手段に入球した遊技球が前記特定領域に案内された場合に遊技者が得られる利益の期待値よりも小さくした
ことを特徴とする請求項１〜４の何れかに記載の遊技機。
【発明の詳細な説明】
【技術分野】
【０００１】
本発明は、パチンコ機、アレンジボール機等の遊技機に関するものである。
【背景技術】
【０００２】
従来より、いわゆる１種２種混合タイプの遊技機が広く知られている（例えば特許文献１）。この種の遊技機は、第１開閉式入賞手段と第２開閉式入賞手段とを備え、第１開閉式入賞手段は、入賞した遊技球を特定領域とそれ以外の領域とに振り分けるように構成されており、開閉式の図柄始動手段への遊技球の入賞に基づいて図柄を変動表示し、その変動後の停止図柄が大当たり態様となった場合には第２開閉式入賞手段を開放する大当たり状態を、小当たり態様となった場合には第１開閉式入賞手段を開放する小当たり状態を夫々発生させ、その小当たり状態中に第１開閉式入賞手段に入賞した遊技球が特定領域に案内された場合（いわゆるＶ入賞）には大当たり状態を発生させるように構成されている。
また、大当たり状態の終了後には、図柄始動手段の開放時間が延長される等の特別遊技状態が発生するようになっている。この特別遊技状態は、図柄が所定回数（例えば１００回）変動するか、それまでに大当たり状態が発生した時点で終了する。
【先行技術文献】
【特許文献】
【０００３】
【特許文献１】特開２０１４−２１３１２１号公報
【発明の概要】
【発明が解決しようとする課題】
【０００４】
以上のような１種２種混合タイプの遊技機では、少なくとも特別遊技状態中の小当たり確率が極めて高い値に設定されている場合が多く、特別遊技状態を継続すればそれだけ出玉を増やすことが可能であるため、特別遊技状態の終盤までは敢えてＶ入賞を回避して出玉を増やし、その後にＶ入賞させて大当たり状態による出玉も獲得しようとする、いわゆる「Ｖはずし」を行うことが可能な場合があった。この場合、Ｖはずしの技術を有する（或いは知っている）遊技者とそうでない遊技者との間で、得られる利益に大きな差が出てしまうという問題がある。もちろん、ＶはずしによってＶ入賞を回避しても、図柄当たりが出ればそこで特別遊技状態は終了するが、その場合でも結果はＶ入賞の場合と変わらないため、遊技者にとってのリスクにはならない。
本発明は上記事情に鑑みてなされたものであり、遊技者によるいわゆるＶはずしの行為を効果的に抑制することが可能な遊技機を提供することを目的とする。
【課題を解決するための手段】
【０００５】
本発明は、遊技球が入球可能な開状態と該開状態よりも入球困難又は入球不可能な閉状態とに変化可能に構成され且つ入球した遊技球を特定領域４４ａとそれ以外の領域４４ｂとに振り分ける特定入球手段２２と、特定図柄表示手段３８による変動後の停止図柄が第１特定態様となった場合に第１利益状態を発生させる第１利益状態発生手段７６と、前記特定図柄表示手段３８による変動後の停止図柄が第２特定態様となった場合に、前記特定入球手段２２が所定時間前記開状態となる第２利益状態を発生させる第２利益状態発生手段７５と、前記特定入球手段２２に入球した遊技球が前記特定領域４４ａに案内された場合に第３利益状態を発生させる第３利益状態発生手段７６と、前記第１利益状態の終了後及び前記第３利益状態の終了後、所定終了条件が成立するまで特別遊技状態を発生させる特別遊技状態発生手段７７とを備え、前記特別遊技状態中は、前記第１利益状態が発生する確率よりも前記第２利益状態が発生する確率が高くなるように構成された遊技機において、前記特別遊技状態中に前記特定図柄表示手段３８による変動後の停止図柄が前記第１特定態様となった場合に遊技者が得られる利益の期待値を、前記特別遊技状態以外の遊技状態中に前記特定図柄表示手段３８による変動後の停止図柄が前記第１特定態様となった場合に遊技者が得られる利益の期待値よりも小さくしたものである。
また、前記所定終了条件は、所定継続期間の経過を内容とする期間終了条件を含み、
前記特別遊技状態中に発生した前記第１利益状態の終了後に発生する前記特別遊技状態に関する前記所定継続期間を、前記特別遊技状態以外の遊技状態中に発生した前記第１利益状態の終了後に発生する前記特別遊技状態に関する前記所定継続期間よりも短くしてもよい。この場合、前記特定図柄表示手段３８を含む図柄表示手段３７，３８による図柄変動回数が所定上限回数に達するまでの期間を前記所定継続期間としてもよい。
また、前記特別遊技状態中に発生した前記第１利益状態により遊技者が得られる利益の期待値を、それ以外の遊技状態中に発生した前記第１利益状態により遊技者が得られる利益の期待値よりも小さくしてもよい。
また、前記特別遊技状態中に前記特定図柄表示手段３８による変動後の停止図柄が前記第１特定態様となった場合に遊技者が得られる利益の期待値を、前記特別遊技状態中に前記特定入球手段２２に入球した遊技球が前記特定領域４４ａに案内された場合に遊技者が得られる利益の期待値よりも小さくしてもよい。
【発明の効果】
【０００６】
本発明によれば、いわゆるＶはずしを行うことが遊技者にとってリスクとなるため、遊技者によるＶはずしの行為を効果的に抑制することが可能である。
【図面の簡単な説明】
【０００７】
【図１】本発明の第１の実施形態に係るパチンコ機の全体斜視図である。
【図２】同パチンコ機の遊技盤の正面図である。
【図３】同パチンコ機の制御系のブロック図である。
【図４】同パチンコ機の第１，第２特別図柄における大当たり態様，小当たり態様の種類毎の選択率、大当たり開放パターン及び特別遊技状態終了条件の設定例を示す図である。
【図５】同パチンコ機の開放延長状態発生後の通常の遊技進行の一例を示す図である。
【図６】同パチンコ機の開放延長状態発生後のＶはずしによる遊技進行の一例を示す図である。
【図７】同パチンコ機の開放延長状態発生後のＶはずしによる遊技進行の一例を示す図である。
【図８】本発明の第２の実施形態に係るパチンコ機の第１，第２特別図柄における大当たり態様，小当たり態様の種類毎の選択率、大当たり開放パターン及び特別遊技状態終了条件の設定例を示す図である。
【発明を実施するための最良の形態】
【０００８】
以下、本発明の実施形態を図面に基づいて詳述する。図１〜図７は本発明をいわゆる１種２種混合タイプのパチンコ機に採用した第１の実施形態を例示している。図１において、遊技機本体１は、正面視矩形状の外枠２と、この外枠２の前側に左右一側、例えば左側のヒンジ３により開閉自在に枢着された前枠４とを備えている。前枠４の前側には、ガラス扉５と前面板６とが上下に隣接するように配置され、夫々ヒンジ３と同じ側のヒンジ７により前枠４に開閉自在に枢支されている。もちろん、ガラス扉５と前面板６とを一つの扉体として一体に開閉可能としてもよい。
【０００９】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々配置されている。更に、上皿８等を前側から覆う上皿カバー１１上には、演出用の操作ボタン１２，１３、球貸し操作部１４等が配置されている。
【００１０】
前枠４には、ガラス扉５の後側に対応して遊技盤１５（図２）が着脱自在に装着されている。遊技盤１５の前面側には、発射手段から発射された遊技球を案内するガイドレール１６が環状に装着されると共に、そのガイドレール１６の内側の遊技領域１７に、中央表示ユニット１８、普通図柄始動手段１９、第１特別図柄始動手段２０、第２特別図柄始動手段２１、第１大入賞手段２２、第２大入賞手段２３、普通入賞手段２４等の各種遊技部品が配置されている。
【００１１】
中央表示ユニット１８は、例えば遊技領域１７の左右方向略中央における上部側に配置されており、遊技盤１５の裏側に固定される液晶式、その他の画像表示手段２５に対応して遊技盤１５の前側に着脱自在に固定されている。画像表示手段２５は、第１演出図柄表示手段２６、第２演出図柄表示手段２７、第１特別保留個数表示手段２８、第２特別保留個数表示手段２９等を構成している。
【００１２】
中央表示ユニット１８は、遊技盤１５の前面側に当接し且つ固定ねじ等により遊技盤１５に固定される前面装着板３２と、画像表示手段２５等に対応する内部領域１８ａを略取り囲むように例えば前面装着板３２の前側に突設される表示枠３３とを例えば一体に備えており、発射手段により遊技領域１７の上部側に打ち込まれた遊技球は、表示枠３３の頂部で左右に振り分けられ、中央表示ユニット１８の左側の左流下経路３４ａと右側の右流下経路３４ｂとの何れかを流下するようになっている。
【００１３】
また、例えば表示枠３３上には、普通図柄表示手段３５、普通保留個数表示手段３６、第１特別図柄表示手段３７、第２特別図柄表示手段３８等の表示手段の他、例えば左側部には左流下経路３４ａを流下する遊技球が入球可能なワープ入口３９が、画像表示手段２５の下部前側には、ワープ入口３９に入球した遊技球を左右方向に自由に転動させて左右方向中央の中央落下部４０又はその左右両側から落下させるステージ４１が夫々設けられている。
【００１４】
普通図柄始動手段１９は、普通図柄表示手段３５による図柄変動を開始させるためのもので、遊技球が通過可能な通過ゲートにより構成され、遊技球の通過を検出する遊技球検出手段１９ａを備えている。この普通図柄始動手段１９は、中央表示ユニット１８に対して例えば右下部に配置されており、左流下経路３４ａを流下してきた遊技球よりも右流下経路３４ｂを流下してきた遊技球の方が高い確率で通過可能となっている。
【００１５】
普通図柄表示手段３５は、普通図柄を変動表示するためのもので、複数個の普通図柄（例えば「○」「×」の２種類）に対応する複数個の発光体（例えばＬＥＤ）を備え、普通図柄始動手段１９が遊技球を検出すること、即ち遊技球が普通図柄始動手段１９を通過し、遊技球検出手段１９ａがその遊技球を検出することに基づいてそれら複数の発光体が所定順序で発光するように点滅して、普通図柄始動手段１９による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。
【００１６】
普通図柄始動手段１９による遊技球検出時に取得された普通乱数情報は、予め定められた上限保留個数、例えば４個を限度として保留記憶され、普通図柄表示手段３５による図柄変動が開始される毎に順次消化される。普通乱数情報の記憶個数（普通保留個数）は普通保留個数表示手段３６によって遊技者に報知される。
【００１７】
第１特別図柄始動手段２０は、第１特別図柄表示手段３７による図柄変動を開始させるためのもので、開閉手段を有しない非開閉式入賞手段により構成され、入賞した遊技球を検出する遊技球検出手段２０ａを備えている。この第１特別図柄始動手段２０は、例えば中央表示ユニット１８の中央落下部４０の下側に上向き開口状に配置されており、左流下経路３４ａ側のワープ入口３９からステージ４１を経て入賞するルートが存在すること等により、右流下経路３４ｂを流下してきた遊技球よりも左流下経路３４ａを流下してきた遊技球の方が高い確率で入賞可能となっている。
【００１８】
第２特別図柄始動手段２１は、第２特別図柄表示手段３８による図柄変動を開始させるためのもので、開閉手段４２の作動によって遊技球が入賞可能な開状態と入賞不可能（又は開状態よりも入賞困難）な閉状態とに変化可能な開閉式入賞手段により構成され、入賞した遊技球を検出する遊技球検出手段２１ａを備えており、普通図柄表示手段３５の変動後の停止図柄が当たり態様（所定態様）となって普通利益状態が発生したときに、開閉手段４２が所定時間閉状態から開状態に変化するようになっている。この第２特別図柄始動手段２１は、例えば第１特別図柄始動手段２０の下側に配置されており、釘配置等により、左流下経路３４ａを流下してきた遊技球よりも右流下経路３４ｂを流下してきた遊技球の方が高い確率で入賞可能となっている。
【００１９】
第１特別図柄表示手段（特定図柄表示手段）３７は、１個又は複数個、例えば１個の第１特別図柄を変動表示可能な７セグメント式等の表示手段により構成されており、第１特別図柄始動手段２０が遊技球を検出すること、即ち遊技球が第１特別図柄始動手段２０に入賞し、遊技球検出手段２０ａがその遊技球を検出することを条件に第１特別図柄を所定時間変動表示して、第１特別図柄始動手段２０への入賞時に取得された第１特別乱数情報に含まれる大当たり判定乱数値が予め定められた大当たり判定値と一致する場合には大当たり態様で、小当たり判定値と一致する場合には小当たり態様で、それ以外の場合には外れ態様で夫々停止するようになっている。第１特別図柄表示手段３７の変動後の停止図柄が大当たり態様となった場合には大当たり状態（第１利益状態）が発生し、小当たり状態となった場合には小当たり状態（第２利益状態）が発生する。
【００２０】
なお本実施形態では、第１特別図柄表示手段３７に関しては小当たり判定値を設けておらず、従って第１特別図柄表示手段３７の変動後の停止図柄は大当たり態様と外れ態様との何れかとなり、小当たり態様となる確率は０％である。また、第１特別図柄表示手段３７に関しては図４（ａ）に示す３種類の大当たり態様Ａ１〜Ａ３を設けており、大当たり判定乱数値が大当たり判定値と一致した場合に、例えば大当たり判定乱数値と共に取得された大当たり図柄乱数値に基づいてそれら大当たり態様Ａ１〜Ａ３のうちの何れかが図４（ａ）に示す選択率で選択されるようになっている。もちろん、第１特別図柄表示手段３７における小当たり態様の確率は０％でなくてもよい。
【００２１】
第２特別図柄表示手段（特定図柄表示手段）３８は、１個又は複数個、例えば１個の第２特別図柄を変動表示可能な７セグメント式等の表示手段により構成されており、第２特別図柄始動手段２１が遊技球を検出すること、即ち遊技球が第２特別図柄始動手段２１に入賞し、遊技球検出手段２１ａがその遊技球を検出することを条件に第２特別図柄を所定時間変動表示して、第２特別図柄始動手段２１への入賞時に取得された第２特別乱数情報に含まれる大当たり判定乱数値が予め定められた大当たり判定値と一致する場合には大当たり態様で、小当たり判定値と一致する場合には小当たり態様で、それ以外の場合には外れ態様で夫々停止するようになっている。第２特別図柄表示手段３８の変動後の停止図柄が大当たり態様（第１特定態様）となった場合には大当たり状態（第１利益状態）が発生し、小当たり状態（第２特定態様）となった場合には小当たり状態（第２利益状態）が発生する。
【００２２】
なお本実施形態では、第２特別図柄表示手段３８に関しては、大当たり判定乱数値は大当たり判定値と一致しない場合は必ず小当たり判定値と一致するようになっており、従って第２特別図柄表示手段３８の変動後の停止図柄は大当たり態様（例えば大当たり確率１／１９９）と小当たり態様（例えば小当たり確率１９８／１９９）との何れかとなり、外れ態様となる場合はない。また、第２特別図柄表示手段３８に関しては図４（ｂ）に示す３種類の大当たり態様Ｂ１〜Ｂ３と図４（ｃ）に示す３種類の小当たり態様ｂ１〜ｂ３とを設けており、大当たり判定乱数値が大当たり判定値と一致した場合には、例えば大当たり判定乱数値と共に取得された大当たり図柄乱数値に基づいて大当たり態様Ｂ１〜Ｂ３のうちの何れかが図４（ｂ）に示す選択率で選択され、大当たり判定乱数値が大当たり判定値と一致しなかった場合には、例えば大当たり図柄乱数値に基づいて小当たり態様ｂ１〜ｂ３のうちの何れかが図４（ｃ）に示す選択率で選択されるようになっている。もちろん、第２特別図柄表示手段３８が外れ態様となる場合があってもよい。
【００２３】
なお、第１，第２特別図柄には数字図柄等を用いてもよいし、遊技者が停止図柄態様の種類を容易に区別できないように、任意の線や点の組み合わせのような特別な意味を持たない図柄を用いてもよい。
【００２４】
第１，第２特別図柄始動手段２０，２１への遊技球入賞時に取得された第１，第２特別乱数情報は、夫々予め定められた上限保留個数、例えば各４個を限度として保留記憶され、第１，第２特別図柄表示手段３７，３８による図柄変動が開始される毎に順次消化される。第１，第２特別乱数情報の記憶個数（第１，第２特別保留個数）は、夫々第１，第２特別保留個数表示手段２８，２９によって遊技者に報知される。
【００２５】
なお本実施形態では、後述する大当たり状態中及び小当たり状態中には第１，第２特別図柄表示手段３７，３８の図柄変動を開始しない他、第１，第２特別図柄表示手段３７，３８の何れか一方の図柄変動中には他方の図柄変動を開始せず、両方が同時に変動中となることはないように制御される。更に、第１，第２特別図柄表示手段３７，３８が共に図柄変動を開始可能な状態となった場合には、第１特別図柄表示手段３７の図柄変動よりも第２特別図柄表示手段３８の図柄変動を優先して行うように制御される。
【００２６】
第１，第２演出図柄表示手段２６，２７は、第１，第２特別図柄表示手段３７，３８の図柄変動を演出するもので、それぞれ１個又は複数個、例えば左右方向に３個の第１，第２演出図柄を例えば各種の演出画像と共に画像表示手段２５の表示画面２５ａに変動表示可能に構成されており、例えば第１，第２特別図柄表示手段３７，３８による第１，第２特別図柄の変動と時間的に同調して第１，第２演出図柄を変動させるようになっている。なお、第１，第２演出図柄表示手段２６，２７は第１，第２特別図柄の変動と同調することなく第１，第２演出図柄を独自に変動させ又はその他の演出画像を表示させる場合があってもよい。
【００２７】
第１，第２演出図柄には、例えば「０」〜「９」の１０種類の数字図柄が用いられ、「６・６・６」、「７・７・７」等、３つの図柄が全て同じ図柄で揃ったものが大当たり演出態様、例えば少なくとも１つの図柄が異なるものが小当たり演出態様又は外れ演出態様となっている。そして、例えば第１，第２特別図柄の停止図柄が大当たり態様、小当たり態様、外れ態様のときは第１，第２演出図柄もそれに対応して大当たり演出態様、小当たり演出態様、外れ演出態様で停止する。
【００２８】
第１，第２特別保留個数表示手段２８，２９は、第１，第２特別保留個数を報知するもので、画像表示手段２５の表示画面２５ａ上の所定箇所、例えば下部側に、第１，第２保留個数分の第１，第２保留表示画像２８ａ，２９ａを例えば互いに上下に対応させて表示するようになっている。
【００２９】
第１大入賞手段（特定入球手段）２２は、開閉手段４３の作動によって遊技球が入賞可能な開状態と入賞不可能な閉状態とに変化可能な開閉式入賞手段により構成されており、第１，第２特別図柄表示手段３７，３８の変動後の停止図柄が小当たり態様（第２特定態様）となって小当たり状態（第２利益状態）が発生したときに、開閉手段４３が一又は複数種類の小当たり開放パターンの何れかに従って開放するようになっている。なお、本実施形態では小当たり態様となる可能性があるのは第２特別図柄表示手段３８のみである。
【００３０】
第１大入賞手段２２は、例えば右流下経路３４ｂ側で且つ普通図柄始動手段１９の下流側に配置されており、左流下経路３４ａを流下してきた遊技球よりも右流下経路３４ｂを流下してきた遊技球の方が高い確率で入賞可能となっている。
【００３１】
第１大入賞手段２２の開閉手段４３は、例えば遊技領域１７の中央側（左側）が低い傾斜状に配置された板状体で、前後方向に移動可能となっており、閉状態のときには遊技盤１５の盤面よりも前側に突出して、上向き開口状の入賞口を閉鎖すると共にその上側に落下してきた遊技球を遊技領域１７の中央側に向けて案内し、開状態のときには後側に退避して入賞口を開放するようになっている。
【００３２】
また第１大入賞手段２２は、例えば一つの特定領域４４ａと、例えば一つの通常領域４４ｂと、第１大入賞手段２２に入賞した遊技球を特定領域４４ａと通常領域４４ｂとに振り分ける例えば可動式の振り分け手段４５と、特定領域４４ａに流入した遊技球を検出する特定遊技球検出手段４６ａと、通常領域４４ｂに流入した遊技球を検出する通常遊技球検出手段４６ｂとを備えている。第１大入賞手段２２に入賞した遊技球は、振り分け手段４５によって特定領域４４ａと通常領域４４ｂとの何れかに案内され、特定遊技球検出手段４６ａと通常遊技球検出手段４６ｂとの何れかによって検出された後、遊技盤１５の裏側に案内される。第１大入賞手段２２に入賞した遊技球が特定領域４４ａ側に案内されて特定遊技球検出手段４６ａがその遊技球を検出した場合（以下、Ｖ入賞という）には大当たり状態が発生する。
【００３３】
特定領域４４ａと通常領域４４ｂとは例えば左右に隣接して配置されている。振り分け手段４５は、例えば特定領域４４ａと通常領域４４ｂとの間に対応してその上側に配置された爪状部材で、図示しない駆動手段の駆動により例えば前後方向の回転軸廻りに所定のパターンで揺動することにより、通常領域４４ｂ側への流入を阻止しつつ特定領域４４ａ側へ遊技球を案内する特定案内状態と、特定領域４４ａ側への流入を阻止しつつ通常領域４４ｂ側へ遊技球を案内する通常案内状態とに切り換え可能となっている。なお、振り分け手段４５の動作パターンは例えば常に一定で、特定領域４４ａへの振り分け率は変化しないものとする。もちろん、遊技状態等に応じて振り分け率（振り分け手段４５の動作パターン）を変化させてもよいし、例えば第１大入賞手段２２の開放中等の所定期間中のみ振り分け手段４５を動作させ、その他は停止させるようにしてもよい。
【００３４】
第２大入賞手段２３は、開閉手段４７の作動によって遊技球が入賞可能な開状態と入賞不可能な閉状態とに変化可能な開閉式入賞手段により構成されており、第１，第２特別図柄表示手段３７，３８の変動後の停止図柄が大当たり態様となるか、第１大入賞手段２２に入賞した遊技球が特定領域４４ａ側に案内されることにより大当たり状態が発生したときに、開閉手段４７が一又は複数種類の大当たり開放パターンの何れかに従って開放するようになっている。
【００３５】
なお以下の説明では、第１，第２特別図柄表示手段３７，３８の変動後の停止図柄が大当たり態様となった場合に発生する大当たり状態と、第１大入賞手段２２に入賞した遊技球が特定領域４４ａ側に案内された場合に発生する大当たり状態とを区別する必要がある場合には、前者を図柄大当たり状態（第１利益状態）、後者をＶ入賞大当たり状態（第３大当たり状態）という。
【００３６】
第２大入賞手段２３の開閉手段４７は、例えば前向き開口状の入賞口に対応する横長矩形状の板状体で、下部側に設けられた左右方向の回転軸廻りに揺動可能となっており、閉状態のときには遊技盤１５の盤面に沿って直立することにより入賞口を閉鎖し、開状態のときには上部側が遊技盤１５の盤面よりも前側に突出することにより後ろ下がりの傾斜状となってその上側に落下してきた遊技球を入賞口内に案内するようになっている。なお第２大入賞手段２３は、入賞した遊技球を検出する遊技球検出手段４８を備えている。
【００３７】
図３は本パチンコ機の制御系のブロック図である。図３において、５１は主制御基板、５２は演出制御基板で、これら各制御基板５１，５２は、遊技盤１５に装着された中央表示ユニット１８、その他の複数個の遊技部品を裏側から一括して覆う裏カバーの裏側等、前枠４及び遊技盤１５を含む遊技機本体１の裏側の適宜箇所に着脱自在に装着された基板ケースに夫々収納されている。
【００３８】
主制御基板５１は、遊技動作を統括的に制御するもので、ＣＰＵ，ＲＯＭ，ＲＡＭ等により構成される普通乱数作成処理手段６１、普通始動検出処理手段６２、普通乱数記憶手段６３、普通図柄処理手段６４、普通利益状態発生手段６５、第１，第２特別乱数作成処理手段７１ａ，７１ｂ、第１，第２特別始動検出処理手段７２ａ，７２ｂ、第１，第２特別乱数記憶手段７３ａ，７３ｂ、第１，第２特別図柄処理手段７４ａ，７４ｂ、小当たり状態発生手段７５、大当たり状態発生手段７６、特別遊技状態発生手段７７、制御コマンド送信手段７８等を備えている。
【００３９】
普通乱数作成処理手段６１は、普通図柄の変動後の停止図柄を当たり態様とするか否か（普通利益状態を発生させるか否か）の判定に用いる当たり判定乱数等を所定時間毎に繰り返し発生するように構成されている。普通始動検出処理手段６２は、普通図柄始動手段１９による遊技球の検出に基づく処理を行うもので、普通図柄始動手段１９が遊技球を検出することに基づいて、普通乱数作成処理手段６１で作成された当たり判定乱数値等の普通乱数情報を取得し、その普通乱数情報を予め定められた上限保留個数（例えば４個）を限度として先入れ先出し式の普通乱数記憶手段６３に記憶させるように構成されている。
【００４０】
普通図柄処理手段６４は、普通図柄の変動表示に関する処理を行うもので、普通図柄表示手段３５が変動表示可能な状態となり且つ普通乱数記憶手段６３に１個以上の普通乱数情報が記憶されていること（普通保留個数が１以上であること）を条件に、普通乱数記憶手段６３に記憶されている普通乱数情報の待ち行列の先頭から当たり判定乱数値を取り出し、その当たり判定乱数値が予め定められた当たり判定値と一致するか否かに応じて当たり／外れの判定を行うと共に普通図柄表示手段３５による普通図柄を所定時間変動させ、当たり判定の場合には当たり態様に対応する「○」で、外れ判定の場合には外れ態様に対応する「×」で普通図柄の変動を停止させるようになっている。
【００４１】
普通利益状態発生手段６５は、第２特別図柄始動手段２１が開状態に変化する普通利益状態を発生させるもので、普通図柄処理手段６４による判定結果が当たりとなることに基づいて普通図柄表示手段３５の変動後の停止図柄が当たり態様となった場合に、第２特別図柄始動手段２１の開閉手段４２を複数種類の開閉パターンの何れかに従って所定時間開状態に変化させるようになっている。
【００４２】
第１，第２特別乱数作成処理手段７１ａ，７１ｂは、変動後の第１，第２特別図柄を大当たり態様、小当たり態様、外れ態様の何れにするかの判定に用いる大当たり判定乱数の他、変動後の特別図柄が大当たり態様、小当たり態様となる場合の停止図柄態様の選択に用いる大当たり図柄乱数、特別図柄の変動パターンの選択に用いる変動パターン選択乱数、その他の所定の乱数を繰り返し発生する特別乱数作成処理を行うように構成されている。
【００４３】
第１，第２特別始動検出処理手段７２ａ，７２ｂは、第１，第２特別図柄始動手段２０，２１による遊技球の検出（入賞）に基づく処理を行うもので、第１，第２特別図柄始動手段２０，２１が遊技球を検出することに基づいて、第１，第２特別乱数作成処理手段７１ａ，７１ｂで作成された大当たり判定乱数値、大当たり図柄乱数値等の第１，第２特別乱数情報を取得し、その第１，第２特別乱数情報を予め定められた上限保留個数（例えば各４個）を限度として先入れ先出し式の第１，第２特別乱数記憶手段７３ａ，７３ｂに記憶させるように構成されている。
【００４４】
第１，第２特別図柄処理手段７４ａ，７４ｂは、第１，第２特別図柄の変動表示に関する処理を行うもので、第１，第２特別図柄表示手段３７，３８が変動表示可能な状態となり且つ第１，第２特別乱数記憶手段７３ａ，７３ｂに１個以上の第１，第２特別乱数情報が記憶されていること（第１，第２特別保留個数が１以上であること）を条件に、第１，第２特別乱数記憶手段７３ａ，７３ｂに記憶されている第１，第２特別乱数情報の待ち行列の先頭から大当たり判定乱数値を取り出し、その大当たり判定乱数値が予め定められた大当たり判定値、小当たり判定値と一致するか否かに応じて大当たり／小当たり／外れの判定を行う大当たり判定機能、大当たり／小当たり／外れの判定結果と、第１，第２特別乱数記憶手段７３ａ，７３ｂに大当たり判定乱数値と共に記憶されている大当たり図柄乱数値等とに基づいて、第１，第２特別図柄の変動後の停止図柄を選択する特別停止図柄態様選択機能、大当たり／小当たり／外れの判定結果に基づいて、第１，第２演出図柄に対応する変動パターンとして複数種類の中から１つを選択する変動パターン選択機能、第１，第２特別図柄表示手段３７，３８による第１，第２特別図柄の変動を開始させ、選択された変動パターンに対応する変動時間が経過することに基づいて、選択された停止図柄態様で第１，第２特別図柄の変動を停止させる第１，第２特別図柄変動制御機能等を備えている。
【００４５】
本実施形態では、第１特別図柄表示手段３７に関する判定結果が大当たりとなった場合には、図４（ａ）に示すように３種類の大当たり態様Ａ１〜Ａ３がそれぞれ５０，２０，３０％の確率で選択され、第２特別図柄表示手段３８に関する判定結果が大当たりとなった場合には、図４（ｂ）に示すように３種類の大当たり態様Ｂ１〜Ｂ３がそれぞれ５０，２０，３０％の確率で選択され、第２特別図柄表示手段３８に関する判定結果が小当たりとなった場合には、図４（ｃ）に示すように３種類の小当たり態様ｂ１〜ｂ３がそれぞれ７０，１０，２０％の確率で選択される。なお、第１特別図柄表示手段３７と第２特別図柄表示手段３８とで大当たり態様となる確率（大当たり確率）は同じ（例えば１／１９９）である。また、上述したように本実施形態では第１特別図柄表示手段３７に関する判定では大当たりと外れのみで小当たりとなることはなく、また第２特別図柄表示手段３８に関する判定では大当たりと小当たりのみで外れとなることはない。
【００４６】
また、例えば大当たり状態中及び小当たり状態中は第１，第２特別図柄表示手段３７，３８の図柄変動を開始しない他、第１，第２特別図柄表示手段３７，３８の何れか一方の図柄変動中には他方の図柄変動を開始せず、両方が同時に変動中となることはないように制御され、また第１，第２特別図柄表示手段３７，３８が共に図柄変動を開始可能な状態となった場合には、第１特別図柄表示手段３７の図柄変動よりも第２特別図柄表示手段３８の図柄変動を優先して行うように制御される。
【００４７】
小当たり状態発生手段（第２利益状態発生手段）７５は小当たり状態（第２利益状態）を発生させるためのもので、第１，第２特別図柄処理手段７４ａ，７４ｂによる大当たり／小当たり／外れの判定結果が小当たりとなり（本実施形態では小当たりの可能性があるのは第２特別図柄処理手段７４ｂのみ）、第１，第２特別図柄表示手段３７，３８による第１，第２特別図柄の変動後の停止図柄態様が小当たり態様となった場合に、第１大入賞手段２２を所定の小当たり開放パターンに従って開放する小当たり状態を発生させるようになっている。本実施形態では小当たり開放パターンは１種類（例えば０．５秒×１回）とするが、複数種類設けてもよい。
【００４８】
大当たり状態発生手段（第１利益状態発生手段、第３利益状態発生手段）７６は大当たり状態（第１利益状態、第３利益状態）を発生させるためのもので、第１，第２特別図柄処理手段７４ａ，７４ｂによる大当たり／小当たり／外れの判定結果が大当たりとなることに基づいて第１，第２特別図柄表示手段３７，３８による第１，第２特別図柄の変動後の停止図柄態様が大当たり態様（第１特定態様）となるか、小当たり状態中に第１大入賞手段２２に入賞した遊技球が特定領域４４ａに案内された場合に、第２大入賞手段２３を所定の大当たり開放パターンに従って開放する大当たり状態を発生させるようになっている。
【００４９】
本実施形態の大当たり開放パターンは、第２大入賞手段２３を開放してから所定時間（例えば２８秒）経過するかそれまでに所定個数（例えば９個）の遊技球が入賞することを条件に閉鎖する動作を所定ラウンド数行うようになっており、そのラウンド数の違いによって例えば５Ｒ，１０Ｒ，１５Ｒの３種類が設けられている。
【００５０】
なお複数種類の大当たり開放パターンのうちの少なくとも一つにおいて、上記のような通常ラウンドに加えて、遊技球の入賞がほとんど期待できない程度の短時間だけ開放する短時間ラウンドを一又は複数回行うように構成してもよい。この場合、通常ラウンド数と短時間ラウンド数との合計は同じでその配分が異なる複数種類の開放パターンを設けることで、仕様上は同じラウンド数であっても遊技者から見た実質的なラウンド数を異ならせることができる。例えば、通常ラウンド×５＋短時間ラウンド×１０に設定された１５Ｒ開放パターンと、通常ラウンド×１０＋短時間ラウンド×５に設定された１５Ｒ開放パターンと、通常ラウンド×１５に設定された１５Ｒ開放パターンとの３種類の開放パターンを設けた場合、実質的なラウンド数はそれぞれ５Ｒ，１０Ｒ，１５Ｒであるにも拘わらず仕様上のラウンド数は全て同じ１５Ｒとすることができる。なお、短時間ラウンドのみを一又は複数回行う大当たり開放パターンを設けてもよい。
【００５１】
また大当たり開放パターンは、例えば図４に示すように、大当たり態様、小当たり態様の種類に応じて選択される。即ち、第１特別図柄が大当たり態様となった場合に発生する図柄大当たり状態については、図４（ａ）に示すように、その大当たり態様の種類に応じて、大当たり態様Ａ１に対応する１５Ｒ開放パターンと大当たり態様Ａ２に対応する５Ｒ開放パターンと大当たり態様Ａ３に対応する１０Ｒ開放パターンとがそれぞれ５０，２０，３０％の確率で選択され、第２特別図柄が大当たり態様となった場合に発生する図柄大当たり状態については、図４（ｂ）に示すように、その大当たり態様の種類に応じて、大当たり態様Ｂ１に対応する１５Ｒ開放パターンと大当たり態様Ｂ２に対応する５Ｒ開放パターンと大当たり態様Ｂ３に対応する１０Ｒ開放パターンとがそれぞれ５０，２０，３０％の確率で選択される。また、小当たり状態中に第１大入賞手段２２に入賞した遊技球が特定領域４４ａに案内された場合に発生するＶ入賞大当たり状態については、図４（ｃ）に示すように、小当たり状態が発生したときの小当たり態様の種類に応じて小当たり態様ｂ１に対応する１５Ｒ開放パターンと小当たり態様ｂ２に対応する５Ｒ開放パターンと小当たり態様ｂ３に対応する１０Ｒ開放パターンとがそれぞれ７０，１０，２０％の確率で選択される。
【００５２】
以上のように、第１特別図柄表示手段３７は小当たり態様となることはないのに対し、第２特別図柄表示手段３８は大当たり態様とならない場合には必ず小当たり態様となって小当たり状態が発生することから、小当たり状態の発生に関しては第１特別図柄始動手段２０が遊技球を検出する場合よりも第２特別図柄始動手段２１が遊技球を検出する場合の方が遊技者が得られる利益の期待値は大きいと言える。
【００５３】
また、変動後の停止図柄態様が大当たり態様となった場合に選択される大当たり開放パターンについては、第１特別図柄表示手段３７と第２特別図柄表示手段３８とでその種類及び選択率が全く同じに設定されている（図４（ａ），（ｂ））。従って、変動後の停止図柄態様が大当たり態様となった場合に発生する大当たり状態により遊技者が得られる利益の期待値は、第１特別図柄始動手段２０が遊技球を検出する場合と第２特別図柄始動手段２１が遊技球を検出する場合とで同じである。
【００５４】
特別遊技状態発生手段７７は、大当たり状態の終了後に遊技者に有利な特別遊技状態を発生させるためのもので、特別遊技状態の一例としての開放延長状態を発生させる開放延長状態発生手段７７ａを備えている。開放延長状態発生手段７７ａは、大当たり状態が終了したときに所定の確率で開放延長状態を開始させると共に、一又は複数の特別遊技状態終了条件（所定終了条件）の何れかが満たされた場合に開放延長状態を終了させるようになっている。
【００５５】
開放延長状態中は、普通利益状態における第２特別図柄始動手段２１の開放時間が通常開放時間（例えば０．２秒×１回）から延長開放時間（例えば２．７秒×２回）へ切り換えられる他、第１，第２特別図柄及び普通図柄の変動時間が通常よりも短縮され、また普通図柄に関する当たり確率が通常確率（例えば１／１０）から高確率（例えば１／１．３）へと切り換えられる。
【００５６】
このように本実施形態では、開放延長状態中（特別遊技状態中）における第２特別図柄始動手段２１の開放時間がそれ以外の通常遊技状態中よりも長くなって遊技球が入賞する確率が高くなるため、所定発射個数当たりで小当たり状態（第２利益状態）が発生する確率も通常遊技状態中よりも開放延長状態中の方が高くなる。なお、図柄が小当たり態様となる確率を、通常遊技状態中よりも開放延長状態中の方が高くなるように設定してもよい。
【００５７】
また本実施形態では、特別遊技状態終了条件（所定終了条件）として、次の大当たり状態の発生を内容とする基本的終了条件の他に、第１，第２特別図柄表示手段３７，３８による図柄変動回数の合計が所定上限回数に達すること（所定継続期間の経過）を内容とする期間終了条件を設けている。この期間終了条件は、所定上限回数が異なる複数種類（ここでは２種類）存在し、例えば第１期間終了条件は所定上限回数が５０回に設定され、第２期間終了条件は所定上限回数が１００回に設定されている。なお、第１期間終了条件によって終了する開放延長状態を第１開放延長状態、第２期間終了条件によって終了する開放延長状態を第２開放延長状態とする。
【００５８】
そして、第１特別図柄が大当たり態様となったことに基づく図柄大当たり状態の終了後には、図４（ａ）に示すように５０％の確率で、図柄変動回数１００回で終了する第２開放延長状態が発生し、第２特別図柄が大当たり態様となったことに基づく図柄大当たり状態の終了後には、図４（ｂ）に示すように５０％の確率で、図柄変動回数５０回で終了する第１開放延長状態が発生し、Ｖ入賞大当たり状態の終了後には、図４（ｃ）に示すように７０％の確率で、図柄変動回数１００回で終了する第２開放延長状態が発生するようになっている。
【００５９】
このように本実施形態では、大当たり状態の終了後に発生する開放延長状態は、第１特別図柄が大当たり態様となった場合（図４（ａ））と第２特別図柄が大当たり態様となった場合（図４（ｂ））とで異なっており、前者よりも後者の方が継続期間が短くなっている。なお後述するように、本実施形態の場合には特別遊技状態中は右打ちにより第２特別図柄の変動が優勢となり、特別遊技状態中以外の通常遊技状態中は逆に左打ちにより第１特別図柄の変動が優勢となる。即ち、特別遊技状態中に停止図柄が大当たり態様（第１特定態様）となった場合に遊技者が得られる利益の期待値は、特別遊技状態以外の通常遊技状態中に停止図柄が大当たり態様（第１特定態様）となった場合に遊技者が得られる利益の期待値よりも小さくなっている。
【００６０】
また、大当たり状態の終了後に発生する開放延長状態は、第２特別図柄が大当たり態様となった場合（図４（ｂ））と、第１大入賞手段２２に入賞した遊技球が特定領域４４ａ側に案内された場合（図４（ｃ））とで異なっており、後者よりも前者の方が発生確率が低く且つ継続期間も短くなっている。このように、特別遊技状態中に停止図柄が大当たり態様（第１特定態様）となった場合に遊技者が得られる利益の期待値は、特別遊技状態中に第１大入賞手段（特定入球手段）２２に入球した遊技球が特定領域４４ａに案内された場合に遊技者が得られる利益の期待値よりも小さくなっている。もちろん、大当たり状態の終了後に開放延長状態が発生する確率を、第２特別図柄が大当たり態様となった場合（図４（ｂ））と、第１大入賞手段２２に入賞した遊技球が特定領域４４ａ側に案内された場合（図４（ｃ））とで同じにしてもよい。
【００６１】
制御コマンド送信手段７８は、所定の制御コマンドを一方向通信により演出制御基板５２等のサブ制御基板側に送信して制御指令を与えるためのもので、第１，第２特別図柄処理手段７４ａ，７４ｂによる第１，第２特別図柄処理に基づいて、第１，第２特別図柄の変動開始時に、第１，第２特別保留個数の減少を指定する第１，第２保留減少コマンド、第１，第２演出図柄の変動パターンを指定する第１，第２変動パターン指定コマンド、第１，第２特別図柄の停止図柄態様を指定する第１，第２停止図柄態様指定コマンドをこの順序で演出制御基板５２側に送信し、第１，第２特別図柄の変動終了時に第１，第２演出図柄の変動停止を指示する第１，第２変動停止指定コマンドを演出制御基板５２側に送信する機能、第１，第２特別保留個数が増加したときに第１，第２特別保留個数の増加を指定する第１，第２保留増加コマンドを演出制御基板５２側に送信する機能、特別遊技状態発生手段７７による特別遊技状態の発生時及び終了時に特別遊技状態発生コマンド、特別遊技状態終了コマンド等を演出制御基板５２側に送信する機能等を備えている。
【００６２】
演出制御基板５２は、第１，第２演出図柄表示手段２６，２７、第１，第２特別保留個数表示手段２８，２９、音声出力手段８１、電飾手段８２等の各種演出手段を制御するためのもので、演出図柄制御手段８３、特別保留個数表示制御手段８４等を備えている。
【００６３】
演出図柄制御手段８３は、第１，第２演出図柄表示手段２６，２７の表示制御及びそれに伴う音声出力手段８１、電飾手段８２の制御を行うもので、主制御基板５１から第１，第２変動パターン指定コマンドを受信した場合に、指定された変動パターンに基づいて第１，第２演出図柄表示手段２６，２７による演出図柄の変動及びそれに伴う音声出力、電飾発光を開始させると共に、第１，第２変動停止指定コマンドを受信したときに、第１，第２停止図柄態様指定コマンドと第１，第２変動パターン指定コマンドとに基づいて選択された停止図柄態様で第１，第２演出図柄の変動を停止させ、またそれに伴う音声出力、電飾発光を停止させるようになっている。
【００６４】
特別保留個数表示制御手段８４は、第１，第２特別保留個数表示手段２８，２９の表示制御を行うもので、第１，第２特別図柄始動手段２０，２１により新たに遊技球が検出され、主制御基板５１から第１，第２保留増加コマンドを受信したときに、その第１，第２保留増加コマンドに基づいて、画像表示手段２５の表示画面２５ａ上の所定位置に第１，第２特別保留個数分の保留表示画像２８ａ，２９ａを表示し、例えば主制御基板５１から第１，第２保留減少コマンドを受信することに基づいて、表示中の保留表示画像２８ａ，２９ａの数を１個減少させて前側にシフトさせるようになっている。
【００６５】
以上のように構成された本実施形態のパチンコ機では、開放延長状態中以外の通常遊技状態中は、普通図柄表示手段３５で当たり態様となる確率は低く、しかも普通図柄が当たり態様となって普通利益状態が発生しても、第２特別図柄の変動を開始させるための第２特別図柄始動手段２１の開放時間は僅か（例えば０．２秒×１回）であるため、普通図柄始動手段１９及び第２特別図柄始動手段２１を狙って右打ちをしても第２特別図柄始動手段２１への入賞の可能性は極めて低い。一方、非作動式の入賞手段である第１特別図柄始動手段２０は入賞の難易度が遊技状態によって変動することがなく、通常遊技状態中であっても安定的な入賞が期待できる。従って、本実施形態のパチンコ機の場合には、通常遊技状態中からいきなり右流下経路３４ｂ側の普通図柄始動手段１９及び第２特別図柄始動手段２１を狙って右打ちをするのではなく、第１段階としてまずは開放延長状態を発生させるべく、左打ちをして左流下経路３４ａ側から第１特別図柄始動手段２０への入賞を狙うべきである。
【００６６】
遊技者が通常遊技状態中に左打ちをし、その遊技球が左流下経路３４ａから例えばワープ入口３９、ステージ４１を経て中央落下部４０から第１特別図柄始動手段２０に入賞するか、又はステージ４１等を経ることなく遊技釘等に案内されて第１特別図柄始動手段２０に入賞すると、その遊技球は遊技盤１５の裏側に案内される際に遊技球検出手段２０ａによって検出され、それによって所定個数の賞球が上皿８に払い出されると共に、第１特別図柄表示手段３７及び第１演出図柄表示手段２６による第１特別図柄及び第１演出図柄の変動が行われる。
【００６７】
通常遊技状態中に第１特別図柄が大当たり態様で停止した場合には大当たり状態が発生し、大当たり態様の種類に応じて選択された大当たり開放パターン（図４（ａ））に従って第２大入賞手段２３が開放する。そしてその開放中の第２大入賞手段２３に遊技球が入賞すると、所定個数の賞球が上皿８に払い出される。従って、遊技者は第２大入賞手段２３を狙って例えば右打ちに切り換えることにより、大量の賞球を容易に得ることができる。
【００６８】
また、その大当たり状態の終了後には、例えば５０％の確率で、例えば図柄変動回数１００回を上限とする開放延長状態が発生する（図４（ａ））。開放延長状態中は、普通図柄に関する当たり確率が通常確率（例えば１／１０）から高確率（例えば１／１．３）へと切り換えられ、また普通利益状態における第２特別図柄始動手段２１の開放時間が通常開放時間（例えば０．２秒×１回）から延長開放時間（例えば２．７秒×２回）へ切り換えられるため、遊技者は大当たり状態中に続いて右打ちを行う方が有利である。
【００６９】
遊技者が右打ちをし、その遊技球が右流下経路３４ｂを流下する際に普通図柄始動手段１９を通過すると、普通図柄表示手段３５による普通図柄の変動が行われるが、開放延長状態中は普通図柄は高確率（例えば１／１．３）で当たり態様となり、普通利益状態が発生して第２特別図柄始動手段２１が所定時間（例えば２．７秒×２回）開放する。そしてその開放中の第２特別図柄始動手段２１に遊技球が入賞すると、所定個数の賞球が上皿８に払い出されると共に、第２特別図柄表示手段３８及び第２演出図柄表示手段２７による第２特別図柄及び第２演出図柄の変動が行われる。なお、第２特別図柄は例えば１／１９９の確率で大当たり態様となるが、それ以外は全て小当たり態様となる。
【００７０】
第２特別図柄が変動後に小当たり態様で停止した場合には小当たり状態が発生し、第１大入賞手段２２が所定の小当たり開放パターンで開放する。そして、その開放中の第１大入賞手段２２に遊技球が入賞すると、その入賞した遊技球が振り分け手段４５により特定領域４４ａと通常領域４４ｂとの何れかに案内されると共に、所定個数の賞球が上皿８に払い出される。例えば振り分け手段４５による特定領域４４ａへの振り分け率は一定であるため、図５に示すように、開放延長状態中は普通に右打ちを継続してコンスタントに第１大入賞手段２２に遊技球を入賞させれば、やがて遊技球は特定領域４４ａ側に案内され（Ｖ入賞）、大当たり状態が発生する。なお、このＶ入賞大当たり状態の発生（基本的終了条件の成立）により、期間終了条件を満たしていなくてもその時点で開放延長状態は終了する。
【００７１】
ここで、開放延長状態中は第２特別図柄の変動において極めて高い確率（例えば１９８／１９９）で小当たり状態が発生するため、この小当たり状態を続けることによって出玉を増やすことができる場合には、図６に示すように、開放延長状態の終盤まで敢えてＶ入賞を回避して出玉を増やし（いわゆるＶはずし）、開放延長状態の終了直前（期間終了条件が成立する直前）にＶ入賞させて大当たり状態による出玉も獲得することが、遊技者にとって最も有利であると考えることもできる。なお、Ｖはずしは、例えば第１大入賞手段２２に入賞した遊技球が特定領域４４ａ側に案内されるタイミングを外して遊技球を発射する等により行われると考えられる。
【００７２】
しかしながら本実施形態の場合、Ｖ入賞による大当たり状態（Ｖ入賞大当たり状態）の終了後に発生する開放延長状態は図柄変動回数１００回まで継続する（図４（ｃ））のに対し、第２特別図柄が大当たり態様となった場合の大当たり状態（図柄大当たり状態）の終了後に発生する開放延長状態は図柄変動回数５０回までしか継続せず（図４（ｂ））、その発生率も後者の方が低いため、遊技者にとって後者の方が圧倒的に不利である。しかも、第２特別図柄が大当たり態様となった場合に発生する利益状態（特別遊技状態中に停止図柄が第１特定態様となった場合に遊技者が得られる利益）（例えば図柄変動回数５０回の開放延長状態）は、第１特別図柄が大当たり態様となった場合に発生する利益状態（通常遊技状態中に停止図柄が第１特定態様となった場合に遊技者が得られる利益）（例えば図柄変動回数１００回の開放延長状態）よりも小さくなっている。
【００７３】
従って、いわゆるＶはずしを行った場合、図７に示すようにその開放延長状態中に第２特別図柄が大当たり態様になってしまうと、Ｖはずしを行うことなくＶ入賞させた場合（例えば図５）に比べて得られる利益が小さくなるというリスクが伴うこととなる。これにより、遊技者によるいわゆるＶはずしの行為を効果的に抑制することが可能である。
【００７４】
図８は本発明の第２の実施形態を例示し、第１の実施形態を一部変更して、特別遊技状態中における図柄大当たり状態（第１利益状態）により遊技者が得られる利益の期待値を、特別遊技状態中におけるＶ入賞大当たり状態（第３利益状態）により遊技者が得られる利益の期待値よりも小さくし、更に特別遊技状態中における図柄大当たり状態（第１利益状態）により遊技者が得られる利益の期待値を、通常遊技状態中における図柄大当たり状態（第１利益状態）により遊技者が得られる利益の期待値よりも小さくした例を示している。
【００７５】
図８は第１の実施形態の図４に対応するものである。この図８に示すように、本実施形態では、第２特別図柄が大当たり態様となった場合に発生する図柄大当たり状態については、図８（ｂ）に示すように、大当たり態様の種類に応じて、１５Ｒ，５Ｒの各開放パターンが共に５０％の確率で選択されるのに対し、小当たり状態中に第１大入賞手段２２に入賞した遊技球が特定領域４４ａに案内された場合に発生するＶ入賞大当たり状態については、図８（ｃ）に示すように、小当たり状態が発生したときの小当たり態様の種類に応じて、１５Ｒ，５Ｒ，１０Ｒの各開放パターンが夫々７０，１０，２０％の確率で選択されるようになっており、同様に第１特別図柄が大当たり態様となった場合に発生する図柄大当たり状態については、図８（ａ）に示すように、大当たり態様の種類に応じて、１５Ｒ，５Ｒ，１０Ｒの各開放パターンが夫々５０，２０，３０％の確率で選択されるようになっている。
【００７６】
一方、大当たり状態の終了後に発生する開放延長状態は、図８（ａ）〜（ｃ）に示すように、第１特別図柄が大当たり態様となった場合には５０％、第２特別図柄が大当たり態様となった場合には５０％、Ｖ入賞大当たりの場合には７０％の確率で発生し、何れも図柄変動回数１００回が上限となっている。
【００７７】
このように、本実施形態では特別遊技状態中における図柄大当たり状態（第１利益状態）により遊技者が得られる利益の期待値を、特別遊技状態中におけるＶ入賞大当たり状態（第３利益状態）により遊技者が得られる利益の期待値よりも小さくし、しかも特別遊技状態中における図柄大当たり状態（第１利益状態）により遊技者が得られる利益の期待値を、通常遊技状態中における図柄大当たり状態（第１利益状態）により遊技者が得られる利益の期待値よりも小さくしているため、いわゆるＶはずしを行った場合、その開放延長状態中に第２特別図柄が大当たり態様になってしまうと、Ｖはずしを行うことなくＶ入賞させた場合に比べて得られる利益が小さくなるというリスクが伴うこととなる。これにより、第１の実施形態の場合と同様、遊技者による、いわゆるＶはずしの行為を効果的に抑制することが可能である。
【００７８】
以上、本発明の実施形態について詳述したが、本発明はこれらの実施形態に限定されるものではなく、本発明の趣旨を逸脱しない範囲で種々の変更が可能である。例えば、通常遊技状態中よりも開放延長状態（特別遊技状態）中の方が第２特別図柄表示手段３８の小当たり確率を高くする等、第１特別図柄表示手段３７及び／又は第２特別図柄表示手段３８による小当たり確率を開放延長状態（特別遊技状態）中とそれ以外の通常遊技状態中とで異ならせてもよい。
【００７９】
第１特別図柄表示手段３７側の小当たり確率を０より大に設定してもよいが、第１特別図柄表示手段３７側の小当たり確率は第２特別図柄表示手段３８側の小当たり確率より小さい値、できれば０％に近い値に設定することが望ましい。また、第２特別図柄表示手段３８側の外れ確率を０より大に設定してもよい。
【００８０】
第１の実施形態では、第１特別図柄が大当たり態様となった場合に発生する特別遊技状態の期間終了条件（１００回変動）（図４（ａ））と、Ｖ入賞大当たり後に発生する特別遊技状態の期間終了条件（１００回変動）（図４（ｃ））とを同一としたが、それらを異ならせてもよい。また、第２の実施形態では、第１特別図柄が大当たり態様となった場合に発生する大当たり状態の種類及びそれらの選択率と、第１大入賞手段２２に入賞した遊技球が特定領域４４ａに案内された場合に発生する大当たり状態の種類及びそれらの選択率とのうち、選択率を異ならせたが、それらを同一としてもよい。即ち、特別遊技状態以外の遊技状態中に特定図柄表示手段による変動後の停止図柄が第１特定態様となった場合に遊技者が得られる利益の期待値と、特別遊技状態中に特定入球手段に入球した遊技球が特定領域に案内された場合に遊技者が得られる利益の期待値とを同じにしてもよい。
【００８１】
図４（ａ）〜（ｃ）、図８（ａ）〜（ｃ）で、大当たり開放パターンの種類及びその選択率と特別遊技状態終了条件とを共に異ならせてもよい。
【００８２】
実施形態では振り分け手段４５を可動式としたが、非可動式（固定式）でもよい。
【００８３】
また本発明は、パチンコ機に限らず、アレンジボール機、雀球遊技機等の各種の遊技機においても同様に実施することが可能である。
【符号の説明】
【００８４】
２２    第１大入賞手段（特定入球手段）
３７    第１特別図柄表示手段（図柄表示手段）
３８    第２特別図柄表示手段（特定図柄表示手段，図柄表示手段）
４４ａ  特定領域
４４ｂ  通常領域
７５    小当たり状態発生手段（第２利益状態発生手段）
７６    大当たり状態発生手段（第１利益状態発生手段，第３利益状態発生手段）
７７    特別遊技状態発生手段
【図１】
2017205424.tif 000003
【図２】
2017205424.tif 000004
【図３】
2017205424.tif 000005
【図４】
2017205424.tif 000006
【図５】
2017205424.tif 000007
【図６】
2017205424.tif 000008
【図７】
2017205424.tif 000009
【図８】
2017205424.tif 000010